(57)【要約】【課題】小便器壁面に薬剤保持装置を設置することで起きる従来例の弊害を解決した小便器用薬剤保持装置を提供しようとするものである。【解決手段】尿石防止剤、尿石除去剤、洗浄剤、芳香剤、消臭剤、除菌剤、殺菌剤を含む薬剤を収容する容器本体と、該容器本体の背面に取り付けた小便器壁面への取付手段とを有し、容器本体の背面には小便器からの洗浄水を取り入れる給排水口を形成して、前記小便器壁面を流れる洗浄水によって該薬剤を小便器に流出させ、前記容器本体の小便器壁面への取付手段は、容器本体の上部を小便器壁面から離して保持する係合アームを備えるとともに、容器本体の下部を小便器壁面に近接もしくは接触して保持することにより、小便器壁面と薬剤を収容する容器本体との接触面を小さくして、小便器壁面を流れる洗浄水との抵抗を少なくし、洗浄水の水流の乱れを少なくしたことを特徴とする小便器用薬剤保持装置。【選択図】図１
2009091892.tif 000002
【特許請求の範囲】
【請求項１】
尿石防止剤、尿石除去剤、洗浄剤、芳香剤、消臭剤、除菌剤、殺菌剤を含む薬剤を収容する容器本体と、該容器本体の背面に取り付けた小便器壁面への取付手段とを有し、
容器本体の背面には小便器からの洗浄水を取り入れる給排水口を形成して、前記小便器壁面を流れる洗浄水によって該薬剤を小便器に流出させ、
前記容器本体の小便器壁面への取付手段は、容器本体の上部を小便器壁面から離して保持する係合アームを備えるとともに、容器本体の下部を小便器壁面に近接もしくは接触して保持することにより、小便器壁面と薬剤を収容する容器本体との接触面を小さくして、小便器壁面を流れる洗浄水との抵抗を少なくし、洗浄水の水流の乱れを少なくしたことを特徴とする小便器用薬剤保持装置。
【請求項２】
薬剤を収容する容器本体が、小便器より吐水される洗浄水のかからない表面全体を、芳香成分や消臭成分を含浸させた弾性樹脂等により生成された素材で被覆し、該被覆部材を交換可能として美観を維持できるようにしたことを特徴とする請求項１記載の小便器用薬剤保持装置。
【請求項３】
前記容器本体の小便器壁面への取付手段が、背面に接着面を形成するとともに、前面に係合アームを備えた取付板と、取付板の接着面が薬剤や水の影響を受けないよう取付板の周囲を保護するシールと、前記容器本体の背面上部に設けた係合アームの先端に係合する係合部とを備え、前記取付板の接着を接着剤もしくは両面粘着テープを用いて行うようにしたことを特徴とする請求項１記載の小便器用薬剤保持装置。
【請求項４】
前記容器本体の小便器壁面への取付手段が、背面に接着面を形成するとともに、前面に係合アームを備えた取付板と、取付板の接着面が薬剤や水の影響を受けないよう取付板の周囲を保護するシールと、前記容器本体の背面上部に設けた係合アームの先端に係合する係合部とを備え、前記シールを交換可能として、美観を維持するとともに、接着面の接着具合を確認できるようにしたことを特徴とする請求項１記載の小便器用薬剤保持装置。
【発明の詳細な説明】
【技術分野】
【０００１】
この発明は、小便器壁面に薬剤を保持させる小便器用薬剤保持装置に関し、薬剤が小便器からの洗浄水の一部で溶解して排水されることにより、小便器及びトラップ内、配水管の洗浄効率を上げたり、芳香または消臭成分を徐放させて、快適にトイレを利用するための小便器用薬剤保持装置を提供しようとするものである。
【背景技術】
【０００２】
従来から、小便器の洗浄水に薬剤を溶解させる機器は種々提案されている。
例えば、薬剤を排水口付近に設置するものは小便器壁面の洗浄効果は少なく、また給水管に穴を開けて洗浄水を取り込み、機能水を生成するものは、給水管等を傷めるため洗浄効果の高い薬剤は使用ができなかった。
近年は配管の見えない小便器が主流となっているため、小便器の壁面に直接取り付けられる特開２００５−３４４３４７号公報（特許文献１参照）のような薬剤保持装置が提案されている。
【特許文献１】特開２００５−３４４３４７号公報
【発明の開示】
【発明が解決しようとする課題】
【０００３】
しかしながら、小便器壁面に薬剤保持装置等を取り付ける場合は、薬剤保持部材の背面が便器壁面と水平になっていると、薬剤保持部材に設けた給水口が抵抗となって水流が分岐してしまい、小便器全体に洗浄水を巡らせることが困難である。また吸水口により跳ね上げられた洗浄水が小便器ボール面の外へ跳ねてしまうという欠点があった。
【０００４】
ちなみに、特開２００５−３４４３４７号公報（特許文献１参照）の装置では、装置内で生成された薬液を排出する際、洗浄水排水用部材等を設けることで小便器全体に洗浄水を巡らせているが、このような排水用部材が必要であったり、小便器本来の水圧による洗浄を阻害したりするという問題があった。
【０００５】
また、小便器壁面に壁掛け式に取り付ける薬剤保持装置自体は、小便器の洗浄水で洗浄することができないため、種々の汚れ、特に表面に尿による汚れが付着して悪臭を発生させるという問題があった。
【０００６】
また、薬剤保持装置を取り付けるためのフックを有する取付板を小便器壁面に接着剤で取り付けた場合、薬剤保持装置によって生成された薬液や芳香剤の成分によって接着剤が剥がれるおそれがあった。
【０００７】
また、特開２００５−３４４３４７号公報（特許文献１参照）の装置によると封止剤を塗布しているが、この場合封止剤を溶解したり劣化させる怖れのある洗浄剤や芳香剤を使うことができなかった。
【０００８】
この発明は、小便器壁面に薬剤保持装置を設置することで起きる上記の弊害を解決した小便器用薬剤保持装置を提供しようとするものである。
【課題を解決するための手段】
【０００９】
すなわち、請求項１の発明は、尿石防止剤、尿石除去剤、洗浄剤、芳香剤、消臭剤、除菌剤、殺菌剤を含む薬剤を収容する容器本体と、該容器本体の背面に取り付けた小便器壁面への取付手段とを有し、
容器本体の背面には小便器からの洗浄水を取り入れる給排水口を形成して、前記小便器壁面を流れる洗浄水によって該薬剤を小便器に流出させ、
前記容器本体の小便器壁面への取付手段は、容器本体の上部を小便器壁面から離して保持する係合アームを備えるとともに、容器本体の下部を小便器壁面に近接もしくは接触して保持することにより、小便器壁面と薬剤を収容する容器本体との接触面を小さくして、小便器壁面を流れる洗浄水との抵抗を少なくし、洗浄水の流れの乱れを少なくしたことを特徴とする小便器用薬剤保持装置である。
【００１０】
請求項２の発明は、薬剤を収容する容器本体が、小便器より吐水される洗浄水のかからない表面全体を、芳香成分や消臭成分を含浸させた弾性樹脂等により生成された素材で被覆し、該被覆部材を交換可能として美観を維持できるようにしたことをも特徴とするものである。
該請求項２の発明は、尿のかかる怖れがあり、小便器より吐水される洗浄水で洗浄することのできない小便器用薬剤保持装置の表面全体を覆うように、着脱可能な消臭成分や芳香成分を配合した部材を装着し、これを交換可能とすることで装置全体の美観を維持するとともに悪臭がなく、また芳香を発生させることができるようにしたものである。
【００１１】
請求項３の発明は、前記容器本体の小便器壁面への取付手段が、背面に接着面を形成するとともに、前面に係合アームを備えた取付板と、取付板の接着面が薬剤や水の影響を受けないよう取付板の周囲を保護するシールと、前記容器本体の背面上部に設けた係合アームの先端に係合する係合部とを備え、前記取付板の接着を接着剤もしくは両面粘着テープを用いて行うようにしたことをも特徴とするものである。
【００１２】
請求項４の発明は、前記容器本体の小便器壁面への取付手段が、背面に接着面を形成するとともに、前面に係合アームを備えた取付板と、取付板の接着面が薬剤や水の影響を受けないよう取付板の周囲を保護するシールと、前記容器本体の背面上部に設けた係合アームの先端に係合する係合部とを備え、前記シールを交換可能として、美観を維持するとともに、接着剤の接着具合を確認できるようにしたことをも特徴とするものである。
この発明においては、係合アームを備えた取付板の背面と小便器壁面を瞬間接着剤と弾性接着剤の接着剤、もしくは両面粘着テープで接着し、その後、耐水、対薬品性の高い粘着シールで前記取付板の周囲を覆うようにした。
そして、前記粘着シールを交換可能とすることで、適時汚れを取ったり、接着面の接着具合を確認して、剥がれたり、弱くなったりしている場合は、粘着シールを溶剤や物理的手段で取り除き、再び簡単に付け直すことができる。こうすることで確実に小便器用薬剤保持装置を小便器壁面に固着させることができる。
【発明の効果】
【００１３】
小便器の壁面に薬剤保持装置を設置する場合、給水時に薬剤保持部材による抵抗を生じ、小便器洗浄水の水流は乱れ、本来洗浄水で洗浄できる箇所に洗浄水が回らないということがある。
特に近年主流である、節水効果を高めたスプレッダ洗浄方式の小便器では、少量の洗浄水に圧力を掛け放射状に吐水するため、抵抗が過度に生じると、洗浄水の水流を乱すだけではなく、本来の圧力による洗浄という機能も阻害してしまう。また小便器の外の床や使用者の足元に洗浄水を跳ね飛ばしてしまうという問題があった。
請求項１の発明により、特殊な部材を用いなくても、小便器の洗浄水の水流を阻害することなく、洗剤などを溶解した機能水を効率的に生成、提供することができるようになるので、従来よりも洗浄効果を改善することができる。
【００１４】
請求項２の発明により、芳香成分や消臭成分を含浸させた弾性樹脂等により生成された素材からなる被覆部材が装置全体を覆うため、この部材を交換することで、装置全体の汚れ、悪臭を防ぎ、美観を維持することができる。
装置の容器本体の表面は洗浄水がかからないため、特に尿汚れが目立ち悪臭も発生させるが、この部材が徐放性芳香剤や消臭剤の機能を持つため、装置の容器本体表面より発生する悪臭をより改善することができる。
【００１５】
請求項３の発明において、係合アームを備えた取付板を小便器壁面に取り付ける場合、瞬間接着剤は薬品に強いが、特に湿度の多い場所で使用すると突然剥がれてしまうことがあり、単独で使用することは難しい。逆に弾性接着剤は溶剤や薬品に弱いという問題がある。
なお前記接着剤での取り付けは、その後必要に応じて剥がさなければならなくなった場合に剥がすことが困難なため、取り外しを想定した場所には耐水性のある両面粘着テープによる接着を行うことが望ましい。
ところが前記両面粘着テープは、テープ自身と便器壁面や取付板の間を隅から剥離する力に弱い。特に小便器の洗浄水がこれらの間に入り込もうとする力に弱いため、両面粘着テープを用いる場合も粘着シールを取付板の上から被せることによって、洗浄水が両面粘着テープと便器壁面や取付板の間に流れるのを防ぐことが必要となる。
両面粘着テープの接着力を向上させたい場合は、両面粘着テープの中央に接着力を補うための弾性接着剤を塗布すればよい。また、両面粘着テープを便器壁面の曲面部分に取り付ける場合は、両面粘着テープの中央に瞬間接着剤を塗布すればよい。
いずれにしても、粘着シールを貼る方が瞬間接着剤以外の接着剤より短時間で便器が使用できる。
一方粘着シールも水や薬品に弱いのだが、耐水性を強化したものは表面が耐薬品性に優れたビニールで保護されており、粘着剤部分の多くが隠れているため隙間を生じなければ比較的粘着力を維持できる。
【００１６】
請求項４の発明により、耐水、対薬品性の高い粘着シールで前記取付板の周囲を覆うようにしたので、より強力な薬剤を使用することができるようになり、しっかりと小便器用薬剤保持装置を固着できる。
また粘着シールを交換可能としたことで、適時に交換すれば美観を維持し、悪臭も改善することができる。
【発明を実施するための最良の形態】
【００１７】
以下、図面に基いてこの発明の小便器用薬剤保持装置の実施の形態について説明する。
図１はこの発明の小便器用薬剤保持装置に係る第１の実施例の全体の組付け状態を示す断面図、図２ないし図５はそれぞれ各工程ごとの組付け状態を示すものであり、図２は接着剤を塗布した状態の斜視図、図３は接着剤の上から係合アームを備えた取付板を取り付けた状態の斜視図、図４は取付板の周囲に粘着シールを貼付した状態の斜視図、図５は容器本体を取付板にセットした状態の斜視図、図６は容器本体の分解斜視図、図７は容器本体を取付板にセットした状態の側面図、図８は取付板の正面図、図９ないし図１２は小便器における水流の説明図で、図９は水流が起きる前の小便器の正面図、図１０は水流がおきた状態の小便器の正面図、図１１は従来の薬剤保持装置における水流の状態を示す小便器の正面図、図１２はこの実施例の小便器用薬剤保持装置における水流の状態を示す小便器の正面図である。
図１３はこの発明の小便器用薬剤保持装置に係る第２の実施例の全体の組付け状態を示す断面図、図１４ないし図１７はそれぞれ各工程ごとの組付け状態を示すものであり、図１４は接着剤を塗布した状態の斜視図、図１５は接着剤の上から係合アームを備えた取付板を取り付けた状態の斜視図、図１６は取付板の周囲に粘着シールを貼付した状態の斜視図、図１７は容器本体を取付板にセットした状態の斜視図、図１８は容器本体の分解斜視図、図１９は容器本体を取付板にセットした状態の側面図、図２０は取付板の正面図、図２１ないし図２４は小便器における水流の説明図で、図２１は水流が起きる前の小便器の正面図、図２２は水流がおきた状態の小便器の正面図、図２３は従来の薬剤保持装置における水流の状態を示す小便器の正面図、図２４はこの実施例の小便器用薬剤保持装置における水流の状態を示す小便器の正面図である。
【００１８】
図１ないし図１２はこの発明の小便器用薬剤保持装置に係る第１の実施例を示すものである。
先ず、図１ないし図５に示すように、この実施例の小便器用薬剤保持装置１１は下記の部材から構成されている。
１−１は弾性樹脂に香料を含浸させて成形した成型品である徐放性芳香剤カバー、１−２はスルファミン酸等、尿石防止効果や洗浄効果等のある水溶性の薬剤、１−３は小便器用薬剤保持装置１１の容器本体、１−４は所定間隔で扇形の開口を設け、該開口に格子を取り付けた容器中蓋、１−５は容器中蓋１−４の前記開口と同じく所定間隔で扇形の開口を設けられ、前記容器本体１−３に取り付けられる容器外蓋である。
また２−１は係合アーム２−１Ａを備えた取付板、２−２Ａ、２−２Ｂはそれぞれ接着剤、２−３は粘着シールであり、前記容器本体１−３を壁面に固着させるためのものである。
【００１９】
この発明の小便器用薬剤保持装置１１の組み付けに際しては、まず図２のように、弾性のあるアクリル樹脂等からなる取付板２−１にシアノアクリレート瞬間接着剤２−２Ａと変性シリコン弾性接着剤２−２Ｂからなる接着剤２−２を少量塗布し、図３のように、ウエスペーパー等で良く乾かした小便器壁面上部の小便器洗浄水吐水口３−１下部の取付位置３−２に強く圧着する。３０秒程経過した後、図４のように、耐水性、耐薬品性に優れた粘着シール２−３を前記取付板２−１の周囲に貼り付ける。
この粘着シール２−３を張り替えることでシール部に付着した汚れを落とし、接着剤２−２の様子を確認する。接着剤２−２が剥がれたり、弱くなったりしている場合は、取付板２−１を外し、再度取り付け作業を行う。
【００２０】
なお前記接着剤２−２Ａ，２−２Ｂでの取り付けは、その後必要に応じて剥がさなければならなくなった場合に剥がすことが困難なため、取り外しを想定した場所には耐水性のある両面粘着テープによる接着を行うことが望ましい。
ところが前記両面粘着テープは、テープ自身と便器壁面の取付位置３−２や取付板２−１の間を隅から剥離する力に弱い。特に小便器の洗浄水がこれらの間に入り込もうとする力に弱いため、両面粘着テープを用いる場合も粘着シール２−３を取付板２−１の上から被せることによって、洗浄水が両面粘着テープと便器壁面の取付位置３−２や取付板２−１の間に流れるのを防ぐことが必要となる。
両面粘着テープの接着力を向上させたい場合は、両面粘着テープの中央に接着力を補うための弾性接着剤を塗布すればよい。また、両面粘着テープを便器壁面の曲面部分に取り付ける場合は、両面粘着テープの中央に瞬間接着剤を塗布すればよい。
いずれにしても、粘着シールを貼る方が瞬間接着剤以外の接着剤より短時間で便器が使用できる。
図５は取付板２−１の係合アーム２−１Ａに容器本体１−３に取り付けた容器外蓋１−５の係合部１−５Ｄを取り付けた状態を示すものである。
【００２１】
前記小便器用薬剤保持装置１１は、図６のように容器本体１−３の開口部分から容器本体１−３内に薬剤１−２を収容し、順次容器中蓋１−４と容器外蓋１−５とを取り付けたものである。
容器中蓋１−４は所定間隔で扇形の開口１−４Ａを設け、該開口１−４Ａに格子１−４Ｂを取り付けたものであり、容器外蓋１−５の背面に設けたスライド収納部１−５Ａに組み込んで収容されている。１−５Ｃは容器外蓋１−５に上記容器中蓋１−４の開口１−４Ａに対応して所定間隔で設けた扇形の開口である。
そして容器中蓋１−４を収容した容器外蓋１−５を容器本体１−３の開口部にはめ込む。該容器本体１−３の開口部には容器外蓋１−５をはめ込むための取付溝１−３Ｂが形成してあり、容器外蓋１−５の外周に設けた圧入用突条１−５Ｂ部分を前記取付溝１−３Ｂに押し込んで容器本体１−３に容器外蓋１−５を圧入取付している。１−４Ｃは容器中蓋１−４の外周に突設したレバー部で、容器本体１−３の端部に形成した凹溝１−３Ｄに収容されている。
その後、容器本体１−３の前面に形成したフランジ部１−３Ａに、徐放性芳香剤カバー１−１を取り付けて前記小便器用薬剤保持装置１１の組み付けが完了する。
【００２２】
前記徐放性芳香剤カバー１−１は弾性樹脂であるため、図１および図６の徐放性芳香剤カバー１−１の周囲に設けた圧着部１−１Ａにより簡易に着脱可能であり、香料の効果が少なくなったり、汚れが目立ったりするころに交換すればよい。また正面から小便器用薬剤保持装置１１を見た時、ほとんどの角度でこの徐放性芳香剤カバー１−１によって小便器用薬剤保持装置１１の各部材を覆い隠している。よってこの徐放性芳香剤カバー１−１を交換することで小便器用薬剤保持装置１１の美観を維持することができる。
【００２３】
図６に示すように、小便器壁面上部の小便器洗浄水吐水口３−１より吐水される洗浄水３−４は容器本体１−３の背面１−６の給排水口から容器本体１−３内に給水される。給排水口は、容器外蓋１−５に設けた開口１−５Ｃと上記容器中蓋１−４に設けた開口１−４Ａからなり、前記容器中蓋１−４のレバー部１−４Ｃを操作して容器中蓋１−４をスライド式に回転させることができる。すると容器外蓋１−５に設けた開口１−５Ｃと上記容器中蓋１−４に設けた開口１−４Ａとの重なり具合が変化して給排水口の面積が変わり、洗浄水３−４と薬剤１−２の接触面積が変化するので、自由に溶解速度を調整することができる。
【００２４】
この発明では図７に示すように、取付板２−１の係合アーム２−１Ａを、容器本体１−３に取り付けた容器外蓋１−５の係合部１−５Ｄの凹部に差込んで吊るす。このとき小便器壁面３−３と、容器外蓋１−５で主に形成される小便器用薬剤保持装置１１の背面１−６の間に支点Ｂと角度Ｃが生じる。小便器用薬剤保持装置１１の容器本体１−３の底部に半円形の凸部１−３Ｃを設けることで洗浄水の抵抗を一層緩和する。
【００２５】
小便器の形は様々であり、壁面が直線的なものと円形のものとあり、また円の半径は様々であるため、取付板２−１は弾性を有することを必要とする。また係合アーム２−１Ａの数は２個が好ましく、２個の取付板２−１と容器本体１−３底部の凸部１−３Ｃとの３点で小便器用薬剤保持装置１１を安定させる。また小便器用薬剤保持装置１１の重心Ｄは支点Ｂに小便器用薬剤保持装置１１を壁面方向に向かうよう作用する力Ｅを生じこれが小便器用薬剤保持装置１１を安定させる。
【００２６】
なお、取付板２−１の係合アーム２−１Ａにより洗浄水が床面等に飛び散ることがあるので、図８に示すように、一対の係合アーム２−１Ａ間の距離Ｆは小便器用薬剤保持装置１１の安定する範囲でなるべく短くする。係合アーム２−１Ａの大きさＧも容器本体１−３を支える大きさでなるべく小さくする。係合アーム２−１Ａによって跳ね上がった洗浄水は小便器用薬剤保持装置１１の背面１−６で防ぐことができる。
【００２７】
前記小便器壁面に取付板２−１を接着する際、シアノクリレート瞬間接着剤２−２Ａを中心に１滴塗り、その周りに変成シリコン弾性接着剤２−２Ｂを塗るとよいが、特に曲面に接着する際は３０秒間手で圧着することでシアノクリレート瞬間接着剤２−２Ａの効果を発揮させることができる。
変成シリコン弾性接着剤２−２Ｂは前記粘着シール２−３で固定することにより、接着のための効果時間を得ることができる。
【００２８】
前記取付板２−１を剥がすときは、前記粘着シール２−３を取り外した後、裏面の接着剤２−２Ａ，２−２Ｂを適宜溶剤で溶かしたり、ヘラ等で物理的に引き剥がしたりすればよい。
【００２９】
前記小便器用薬剤保持装置１１は、容器本体１−３を取付板２−１に引っ掛けた状態であるため着脱自在であり、取付板２−１から取り外した状態で徐放性芳香剤カバー１−１を交換することができる、また容器外蓋１−５を容器内蓋１−４とともに取り外すことにより薬剤１−２を補充することができる。
【００３０】
徐放性芳香剤カバー１−１は小便器用薬剤保持装置１１の背面１−６の角度Ｃと同じ角度を有するようにすることで、尿跳ねを小便器の壁面方向へとスムーズに落とすことができる。また徐放性芳香剤カバー１−１はその表面に凹凸をつけないことにより、尿の跳ねを防ぐことの一助となる。
【００３１】
図９ないし図１２を用いて小便器における水流を説明する。
１）図９は水流が起きる前の小便器の正面図である。
２）図１０は水流が起きた状態の小便器の正面図であり、まだ小便器用薬剤保持装置１１は設置されていない。
３）図１１は従来の薬剤保持装置における水流の状態を示す小便器の正面図である。水流は薬剤保持装置によって遮られ、小便器の壁面をもれなく洗浄できる水流とはなっていない。Ｈは水流を遮断された小便器壁面を示す。
４）図１２はこの発明の小便器用薬剤保持装置における水流の状態を示す小便器の正面図である。この実施例においては、水流は薬剤保持装置によってほとんど遮られることがなく、小便器の壁面をもれなく洗浄できる水流となっている。
【００３２】
図１３ないし図２４はこの発明の小便器用薬剤保持装置に係る第２の実施例を示すものである。
以下この実施例の説明を簡単にするため、前記第１の実施例と第２の実施例との相違点のみを説明する。
第１の実施例では取付板２−１と係合アーム２−１Ａとは一体的に形成されているが、第２の実施例では取付板２−１に設けた装着孔に係合アーム２−１Ａの台座を係合させて取り付けてある。
また所定間隔で扇形の開口を設けられた容器外蓋１−５の前面ほぼ中央には回転中心となる突起が形成してあり、容器内蓋１−４に所定間隔で設けた扇形の開口１−４Ａのほぼ中央に形成した軸孔にはめ込まれて、容器外蓋１−５を確実に回転可能とするためのものである。
さらに、この第２の実施例では、容器本体１−３の前面に形成したフランジ部１−３Ａおよび徐放性芳香剤カバー１−１をそれぞれ所定の曲率半径を持つ円弧状断面に形成してある。
【００３３】
なお、この実施例の小便器用薬剤保持装置１１の組み付けや使用方法、また維持管理等については、前記第１の実施例の場合と同じである。
【産業上の利用可能性】
【００３４】
この発明の小便器用薬剤保持装置を利用することにより、また小便器用薬剤保持装置を３点支持によって小便器壁面に設置することにより、小便器壁面の広い範囲を洗浄力の高い薬剤を使って洗浄することができるようになる。
また小便器壁面に小便器用薬剤保持装置を設置したときの表面の衛生も改善されるので、産業上の利用可能性は非常に大きい。
ちなみに、この発明の小便器用薬剤保持装置は、どのようなタイプの小便器の壁面にも簡単に設置することができる。
【図面の簡単な説明】
【００３５】
【図１】この発明の小便器用薬剤保持装置に係る第１の実施例の全体の組付け状態を示す断面図である。
【図２】接着剤を塗布した状態の斜視図である。
【図３】接着剤の上から係合アームを備えた取付板を取り付けた状態の斜視図である。
【図４】取付板の周囲に粘着シールを貼付した状態の斜視図である。
【図５】容器本体を取付板にセットした状態の斜視図である。
【図６】容器本体の分解斜視図である。
【図７】容器本体を取付板にセットした状態の側面図である。
【図８】取付板の正面図である。
【図９】水流が起きる前の小便器の正面図である。
【図１０】水流がおきた状態の小便器の正面図である。
【図１１】従来の薬剤保持装置における水流の状態を示す小便器の正面図である。
【図１２】この実施例の小便器用薬剤保持装置における水流の状態を示す小便器の正面である。
【図１３】この発明の小便器用薬剤保持装置に係る第２の実施例の全体の組付け状態を示す断面図である。
【図１４】接着剤を塗布した状態の斜視図である。
【図１５】接着剤の上から係合アームを備えた取付板を取り付けた状態の斜視図である。
【図１６】取付板の周囲に粘着シールを貼付した状態の斜視図である。
【図１７】容器本体を取付板にセットした状態の斜視図である。
【図１８】容器本体の分解斜視図である。
【図１９】容器本体を取付板にセットした状態の側面図である。
【図２０】取付板の正面図である。
【図２１】水流が起きる前の小便器の正面図である。
【図２２】水流がおきた状態の小便器の正面図である。
【図２３】従来の薬剤保持装置における水流の状態を示す小便器の正面図である。
【図２４】この実施例の小便器用薬剤保持装置における水流の状態を示す小便器の正面図である。
【符号の説明】
【００３６】
１１  小便器用薬剤保持装置
１−１  徐放性芳香剤カバー
１−１Ａ  圧着部
１−２  薬剤
１−３  容器本体
１−３Ａ  フランジ部
１−３Ｂ  取付溝
１−３Ｃ  半円形の凸部
１−３Ｄ  凹溝
１−４  容器中蓋
１−４Ａ  扇形の開口
１−４Ｂ  格子
１−４Ｃ  レバー部
１−５  容器外蓋
１−５Ａ  スライド収納部
１−５Ｂ  圧入用突条
１−５Ｃ  扇形の開口
１−５Ｄ  係合部
１−６  容器本体背面
２−１  取付板
２−１Ａ  係合アーム
２−２  接着剤
２−２Ａ  瞬間接着剤
２−２Ｂ  弾性接着剤
２−３  粘着シール
３  小便器
３−１  小便器洗浄水吐水口
３−２  取付位置
３−３  小便器壁面
３−４  洗浄水
４  小便器壁面と垂直な薬剤保持装置
Ｂ  支点
Ｃ  角度
Ｄ  重心
Ｅ  力
Ｆ  距離
Ｇ  大きさ
Ｈ  水流を遮断された小便器壁面
【図１】
2009091892.tif 000003
【図２】
2009091892.tif 000004
【図３】
2009091892.tif 000005
【図４】
2009091892.tif 000006
【図５】
2009091892.tif 000007
【図６】
2009091892.tif 000008
【図７】
2009091892.tif 000009
【図８】
2009091892.tif 000010
【図９】
2009091892.tif 000011
【図１０】
2009091892.tif 000012
【図１１】
2009091892.tif 000013
【図１２】
2009091892.tif 000014
【図１３】
2009091892.tif 000015
【図１４】
2009091892.tif 000016
【図１５】
2009091892.tif 000017
【図１６】
2009091892.tif 000018
【図１７】
2009091892.tif 000019
【図１８】
2009091892.tif 000020
【図１９】
2009091892.tif 000021
【図２０】
2009091892.tif 000022
【図２１】
2009091892.tif 000023
【図２２】
2009091892.tif 000024
【図２３】
2009091892.tif 000025
【図２４】
2009091892.tif 000026